(57)【要約】【課題】本発明の課題は、室外ユニットが家屋等の壁面に近接するように設置された場合でも、加湿空気の量を減少させない、空調機の室外ユニットを提供することにある。【解決手段】室外ユニット３０では、据付時、家屋の壁面とケーシング４０との隙間はサービスパーソンの判断に委ねられるが、液側閉鎖弁３７、ガス側閉鎖弁３８、及び／又は電気配線の結線部５５０が位置する右側板４７側は、配管施工、又は電気配線の施工上、必ず作業空間を必要とするので、必然的に隙間が確保される。それゆえ、外気吸入口４７１からの吸入抵抗が増大することはなく、室内へ送る加湿空気の必要量が確保される。【選択図】図４
2017083147.tif 000002
【特許請求の範囲】
【請求項１】
冷媒連絡配管を介して室内ユニット（２０）に接続される空調機の室外ユニットであって、
外気吸入口（４７１）から外気を取り入れ、前記外気を加湿して生成した加湿空気を前記室内ユニット（２０）側へ送出する加湿部（６０）と、
前記加湿部（６０）を収容し、吸込口（４４ａ）を有する背面（４４）と吹出口（４６ａ）を有する前面（４６）とを含む外郭を形成する本体ケーシング（４０）と、
を備え、
前記加湿部（６０）の前記外気吸入口（４７１）は、前記本体ケーシング（４０）のうち前記背面（４４）と前記前面（４６）とに挟まれた側面（４７）に形成されている、
空調機の室外ユニット（３０）。
【請求項２】
前記側面（４７）は、前記冷媒連絡配管の配管接合部が位置する側の面である、
請求項１に記載の空調機の室外ユニット（３０）。
【請求項３】
前記側面（４７）は、前記室内ユニット（２０）からの電気配線の結線部が位置する側の面である、
請求項１に記載の空調機の室外ユニット（３０）。
【請求項４】
前記側面（４７）に装着され、前記外気吸入口（４７１）及び前記配管接合部を覆うカバー（５７）をさらに備え、
前記カバー（５７）が開口（５７１）を有する、
請求項２に記載の空調機の室外ユニット（３０）。
【請求項５】
前記側面（４７）に装着され、前記外気吸入口（４７１）及び前記結線部を覆うカバー（５７）をさらに備え、
前記カバー（５７）が開口（５７１）を有する、
請求項３に記載の空調機の室外ユニット（３０）。
【請求項６】
前記カバー（５７）は、その一部が前記側面（４７）側へ窪むことによって形成された取っ手（５７ａ）を有し、
前記開口（５７１）は、前記取っ手（５７ａ）の窪み部分に設けられ、前記カバー（５７）が前記側面（４７）に装着されたとき、前記開口（５７１）と前記外気吸入口（４７１）とが対峙する、
請求項４又は請求項５に記載の空調機の室外ユニット（３０）。
【請求項７】
電装品ボックス（５０）をさらに備え、
前記開口（５７１）から吸入される外気の一部が前記電装品ボックス（５０）内に流れる、
請求項４から請求項６のいずれか１項に記載の空調機の室外ユニット（３０）。
【発明の詳細な説明】
【技術分野】
【０００１】
本発明は、空調機の室外ユニットに関し、特に加湿機能を有する空調機の室外ユニットに関する。
【背景技術】
【０００２】
近年、加湿機能を有する空調機の室外ユニットが広く普及するようになった。例えば、特許文献１（特開２００８−１９０８２８号公報）に開示されている室外ユニットでは、吸着部材が前面に平行で且つ吸着部材の一部が前面から視て吹出口と重なるように配置され、背面側から吸い込まれて室外熱交換器を通過した空気がその吸着部材に流れる。吸着部材は自己を通過する空気から水分を吸着し、所定の場所で加熱され水分を放出し加湿空気を生成する。
【発明の概要】
【発明が解決しようとする課題】
【０００３】
上記のような室外ユニットは、据え付けられる際に背面側を家屋等の壁面に可能な限り近接させて設置される傾向にあり、外気吸入口に壁面が接近することによって吸入抵抗の増大という弊害を招来する。かかる場合、室内へ送る加湿空気の量が減少し、それが搬送用ホース内の結露を助長し、搬送用ホース内を流れる加湿空気と結露水との間で異音が発生する。
【０００４】
本発明の課題は、室外ユニットが家屋等の壁面に近接するように設置された場合でも、加湿空気の量を減少させない、空調機の室外ユニットを提供することにある。
【課題を解決するための手段】
【０００５】
本発明の第１観点に係る空調機の室外ユニットは、冷媒連絡配管を介して室内ユニットに接続される空調機の室外ユニットであって、加湿部と、本体ケーシングとを備えている。加湿部は、外気吸入口から外気を取り入れ、外気を加湿して生成した加湿空気を室内ユニット側へ送出する。本体ケーシングは、加湿部を収容し、吸込口を有する背面と吹出口を有する前面とを含む外郭を形成している。加湿部の外気吸入口は、本体ケーシングのうち背面と前面とに挟まれた側面に形成されている。
【０００６】
室外ユニットの据付において、本体ケーシングの側面を家屋等の壁面に近接させて設置することは極めて稀である。そのため、この室外ユニットでは、本体ケーシングの側面に加湿部の外気吸入口が形成されることによって、外気吸入口の吸入抵抗が増大することはなく、室内へ送る加湿空気の必要量が確保される。その結果、加湿空気が室内ユニットに到達する経路での結露が抑制され、加湿空気と結露水との間で異音が発生することも回避される。
【０００７】
本発明の第２観点に係る空調機の室外ユニットは、第１観点に係る空調機の室外ユニットであって、側面が、冷媒連絡配管の配管接合部が位置する側の面である。
【０００８】
この室外ユニットでは、据付時、家屋の壁面と本体ケーシングとの隙間はサービスパーソンの判断に委ねられるが、冷媒連絡配管の配管接合部が位置する側面は、配管施工上、必ず作業空間を必要とするので、必然的に隙間が確保される。それゆえ、外気吸入口からの吸入抵抗が増大することはなく、室内へ送る加湿空気の必要量が確保される。
【０００９】
本発明の第３観点に係る空調機の室外ユニットは、第１観点に係る空調機の室外ユニットであって、側面が、室内ユニットからの電気配線の結線部が位置する側の面である。
【００１０】
この室外ユニットでは、据付時、家屋の壁面と本体ケーシングとの隙間はサービスパーソンの判断に委ねられるが、電気配線の結線部が位置する側面は、施工上、必ず作業空間を必要とするので、必然的に隙間が確保される。それゆえ、外気吸入口からの吸入抵抗が増大することはなく、室内へ送る加湿空気の必要量が確保される。
【００１１】
本発明の第４観点に係る空調機の室外ユニットは、第２観点に係る空調機の室外ユニットであって、側面に装着され、外気吸入口及び配管接合部を覆うカバーをさらに備えている。カバーは、開口を有している。
【００１２】
この室外ユニットでは、外気吸入口が開口を有するカバーで覆われることによって、外気導入を阻害することなく、雨水、小動物の侵入を防止することができる。
【００１３】
本発明の第５観点に係る空調機の室外ユニットは、第３観点に係る空調機の室外ユニットであって、側面に装着され、外気吸入口及び結線部を覆うカバーをさらに備えている。カバーは開口を有している。
【００１４】
この室外ユニットでは、外気吸入口が開口を有するカバーで覆われることによって、外気吸入を阻害することなく、雨水、小動物の侵入を防止することができる。
【００１５】
本発明の第６観点に係る空調機の室外ユニットは、第４観点又は第５観点に係る空調機の室外ユニットであって、カバーが、その一部が側面側へ窪むことによって形成された取っ手を有している。開口は、取っ手の窪み部分に設けられ、カバーが側面に装着されたとき、開口と外気吸入口とが対峙する。
【００１６】
この室外ユニットでは、取っ手は、サービスパーソンが室外ユニットを持ち上げる際に手を掛けるための窪み部分であり、手を掛ける部分が庇としての役割を果たす。それゆえ、取っ手の窪み部分に開口が設けられることにより、開口に直に雨水が浸入することが抑制され、外気吸入口への雨水浸入が防止される。
【００１７】
本発明の第７観点に係る空調機の室外ユニットは、第４観点から第６観点のいずれか１つに係る空調機の室外ユニットであって、電装品ボックスをさらに備えている。開口から吸入される外気の一部は、電装品ボックス内に流れる。
【００１８】
この室外ユニットでは、加湿部に加えて電装品ボックスも外気を必要とするので、開口から取り込まれる外気を両方へ分岐させることにより、別に風路を設ける手間が省ける。
【発明の効果】
【００１９】
本発明の第１観点に係る空調機の室外ユニットでは、本体ケーシングの側面に加湿部の外気吸入口が形成されることによって、外気吸入口の吸入抵抗が増大することはなく、室内へ送る加湿空気の必要量が確保される。その結果、加湿空気が室内ユニットに到達する経路での結露が抑制され、加湿空気と結露水との間で異音が発生することも回避される。
【００２０】
本発明の第２観点に係る空調機の室外ユニットでは、据付時、家屋の壁面と本体ケーシングとの隙間はサービスパーソンの判断に委ねられるが、冷媒連絡配管の配管接合部が位置する側面は、配管施工上、必ず作業空間を必要とするので、必然的に隙間が確保される。それゆえ、外気吸入口からの吸入抵抗が増大することはなく、室内へ送る加湿空気の必要量が確保される。
【００２１】
本発明の第３観点に係る空調機の室外ユニットでは、据付時、家屋の壁面と本体ケーシングとの隙間はサービスパーソンの判断に委ねられるが、電気配線の結線部が位置する側面は、施工上、必ず作業空間を必要とするので、必然的に隙間が確保される。それゆえ、外気吸入口からの吸入抵抗が増大することはなく、室内へ送る加湿空気の必要量が確保される。
【００２２】
本発明の第４観点又は第５観点に係る空調機の室外ユニットでは、外気吸入口が開口を有するカバーで覆われることによって、外気導入を阻害することなく、雨水、小動物の侵入を防止することができる。
【００２３】
本発明の第６観点に係る空調機の室外ユニットでは、取っ手は、サービスパーソンが室外ユニットを持ち上げる際に手を掛けるための窪み部分であり、手を掛ける部分が庇としての役割を果たす。それゆえ、取っ手の窪み部分に開口が設けられることにより、開口に直に雨水が浸入することが抑制され、外気吸入口への雨水浸入が防止される。
【００２４】
本発明の第７観点に係る空調機の室外ユニットでは、加湿部に加えて電装品ボックスも外気を必要とするので、開口から取り込まれる外気を両方へ分岐させることにより、別に風路を設ける手間が省ける。
【図面の簡単な説明】
【００２５】
【図１】本発明の一実施形態に係る室外ユニットを備えた冷凍装置の構成図。
【図２】室外ユニットの外観斜視図。
【図３】防護用グリル、ベルマスス、天板、及び閉鎖弁カバーが取り外された状態の室外ユニットの斜視図。
【図４】防護用グリル、天板、及び閉鎖弁カバーが取り外された状態の室外ユニットの平面図。
【図５】加湿ロータ及びその加湿ロータを通過する空気の流れを示す斜視図。
【図６】ヒータを取り外した状態の加湿ユニットの参考斜視図。
【図７】外気吸入口、加熱前外気入口、及び両者を連絡する連絡ダクトの位置関係を示す概略断面図。
【発明を実施するための形態】
【００２６】
以下、図面を参照しながら、本発明の実施形態について説明する。なお、以下の実施形態は、本発明の具体例であって、本発明の技術的範囲を限定するものではない。
【００２７】
（１）空調機１０の構成の概要
図１は、本発明の一実施形態に係る室外ユニット３０を備えた冷凍装置の構成図である。図１において、この冷凍装置は、室内ユニット２０と、室外ユニット３０と、それらを接続する冷媒連絡配管１４，１６を備えた空調機１０である。空調機１０は、冷房運転、暖房運転、除湿運転、加湿運転、及び給気運転などの複数の運転モードを持っており、これらの運転モードを適宜組み合わせることもできる。
【００２８】
室内ユニット２０には室内熱交換器２１が搭載され、室外ユニット３０には圧縮機３１、四路切換弁３２、室外熱交換器３３、電動膨張弁３４、アキュムレータ３６、液側閉鎖弁３７及びガス側閉鎖弁３８が搭載されている。
【００２９】
また、加湿運転、及び給気運転では、室内に外気を供給するため、給気ホース１８を通して室内ユニット２０と室外ユニット３０との間で空気の移動がある。特に、加湿運転では、水分を多く含んだ湿度の高い空気を室外ユニット３０から室内ユニット２０に供給するため室外ユニット３０において外気から水分を取り込む。
【００３０】
本実施形態では、加湿ユニット６０が室外ユニット３０内に設けられており、加湿ユニット６０が外気から水分を取り込む機能を有している。
【００３１】
（２）室内ユニット２０の構成
室内ユニット２０には、図１に示すようにモータで駆動される室内ファン２２が室内熱交換器２１の下流側に配置されている。室内ファン２２は、クロスフローファンである。室内ファン２２が駆動されると、室内ユニット２０上部の吸込口２３から吸い込まれた室内空気は、室内熱交換器２１を通過して室内ユニット２０下部の吹出口２４から吹き出される。
【００３２】
また、室内ユニット２０には、給気ホース１８の給気口２５が、室内熱交換器２１の上流側空間に設けられている。給気ホース１８は加湿ユニット６０に接続されており、加湿ユニット６０から送られてくる湿度の高い空気が給気口２５から室内熱交換器２１の上流側空間に供給される。このような湿度の高い空気が給気口２５から供給されている状態で室内ファン２２を駆動することにより、室内ユニット２０の吹出口２４から吹き出される調和空気の湿度を高くすることができる。
【００３３】
（３）室外ユニット３０の構成
（３−１）全体構成
図２は、室外ユニット３０の外観斜視図である。また、図３は、室外ユニット３０から防護用グリル５６、ベルマウス５２、天板４８、及び閉鎖弁カバー５７が取り外された状態の当該室外ユニット３０の斜視図である。さらに、図４は、防護用グリル５６、天板４８、及び閉鎖弁カバー５７が取り外された状態の室外ユニット３０の平面図である。
【００３４】
図１〜図４において、室外ユニット３０は、ケーシング４０、室外熱交換器３３、室外ファン３９、加湿ユニット６０を備えている。室外ファン３９が駆動されると、外気が室外熱交換器３３の後面側から吸い込まれ、室外熱交換器３３を通過し、吹出口４６ａ（図２参照）から吹き出される。通常、吹出口４６ａの前方は防護用グリル５６（図２参照）で覆われており、外部からプロペラ３９ｂに触れられないようになっている。
【００３５】
加湿ユニット６０の少なくとも一部は室外ユニット３０の送風機室４１に配置され、他は機械室４２に配置される。
【００３６】
（３−２）詳細構成
（３−２−１）ケーシング４０
図２から図４に示す通り、ケーシング４０は、図２に記載の防護用グリル５６側を正面に視た状態において、左側面を形成する左側板４５（図４参照）、前面を形成する前板４６、右側面を形成する右側板４７（図３参照）、天面を形成する天板４８（図２参照）、底面を形成する底板４９（図３参照）、及び背面部４４（図４参照）からなる筐体であり、内部を仕切部材４３（図３参照）によって送風機室４１と機械室４２とに分けられている。送風機室４１には、室外熱交換器３３及び室外ファン３９が配置されている。機械室４２には、圧縮機３１及び加湿ユニット６０の一部が配置されている。
【００３７】
仕切部材４３は、天板４８側から底板４９側に向って鉛直方向に延びている。また、仕切部材４３は、前板４６内面側から室外熱交換器３３の右端向かって直線部分及び円弧部分を形成しながら延びている。その結果、仕切部材４３は送風機室４１から機械室４２に風が回り込まないように遮蔽する機能を有している。
【００３８】
また、図２に示すように、前板４６に形成された吹出口４６ａは円形である。吹出口４６ａには、その周縁に沿うようにリング状のベルマウス５２の下流側端部５２１（図４参照）が取り付けられている。
【００３９】
さらに、前板４６には、吹出口４６ａの周縁と右上コーナーとの挟まれた領域に吸込開口４６ｂ（図２参照）が形成されている。この吸込開口４６ｂは、室外熱交換器３３を通過していない外気を取り入れるために設けられている。
【００４０】
（３−２−２）圧縮機３１
図１に示すように、圧縮機３１は、機械室４２側に位置しており、底板４９に固定されている。運転時、圧縮機３１は高温になるので、機械室４２は送風機室４１に比較して温度が高くなっている。
【００４１】
（３−２−３）電装品ユニット５０
図３に示すように、電装品ユニット５０は送風機室４１に位置しており、圧縮機３１および室外ファン３９などを駆動するための電子部品を集約した制御基板を搭載している。
【００４２】
（３−２−４）室外熱交換器３３
図４に示すように、室外熱交換器３３は、ケーシング４０の背面部４４と左側板４５とに対峙できるように、Ｌ字状に成形されている。また、室外熱交換器３３の高さは、天板４８と底板４９との距離にほぼ等しい寸法を有している。
【００４３】
（３−２−５）室外ファン３９
室外ファン３９は、ファンモータ３９ａによって駆動されるプロペラ３９ｂを有しており、室外熱交換器３３の下流側に設けられている。プロペラ３９ｂの一部は、このベルマウス５２で囲まれた空間内に入るように配置されている。
【００４４】
（３−２−６）仕切部材４３
仕切部材４３は、ケーシング４０内を送風機室４１と機械室４２とに仕切る。本実施形態では、加湿ユニット６０の一部が機械室４２の上部に配置されるので、加湿ユニット６０が仕切部材４３上部の一部分を兼ねている。
【００４５】
（３−２−７）加湿ユニット６０
図４に示すように、加湿ユニット６０は、前板４６と背面部４４との間で、送風機室４１と機械室４２とに跨るように配置されている。加湿ユニット６０は、加湿ロータ６３、吸着用ダクト６８、ヒータ７１（図１参照）、加湿用ダクト７３（図１参照）、ファン７５（図１参照）、及び加湿用第２ダクト１８０（図３参照）を有している。
【００４６】
（３−２−８）防護用グリル５６
図２に示すように、防護用グリル５６は、ケーシング４０の前板４６に取り付けられ、吹出口４６ａを覆っている。防護用グリル５６には、空気を吹き出すため、複数の開口部が形成されている。
【００４７】
（３−２−９）閉鎖弁カバー５７
図３に示すように右側板４７の下方には、液冷媒連絡配管１４が接続される液側閉鎖弁３７と、ガス冷媒連絡配管１６が接続されるガス側閉鎖弁３８とが外側に突出している。
【００４８】
閉鎖弁カバー５７は、液側閉鎖弁３７及びガス側閉鎖弁３８を覆うカバーである。また、閉鎖弁カバー５７は、右側板４７に予め設けられている開口から突出する加湿用第２ダクト１８０をも覆う。当該開口は、加湿ユニット６０のヒータ７１側に取り入れられる外気の吸入口としての機能もあり、説明の便宜上、外気吸入口４７１とよぶ。
【００４９】
また、外気吸入口４７１は、電気配線の取り入れ口、取り出し口としての機能も有し、外気吸入口４７１の近傍に電気配線の結線部５５０が設けられている。
【００５０】
閉鎖弁カバー５７は、右側板４７にビス止めにより固定される。図２に示すように、閉鎖弁カバー５７が、右側板４７に固定されると、液側閉鎖弁３７、ガス側閉鎖弁３８、加湿用第２ダクト１８０、結線部５５０及び外気吸入口４７１は閉鎖弁カバー５７で覆われて保護される。
【００５１】
閉鎖弁カバー５７の外側には、サービスパーソンが室外ユニット３０を持ち上げる際に手を掛けるための窪み部分が設けられており、窪み部分の上側が手を掛ける取っ手５７ａとして機能する。取っ手５７ａは、その窪み部分の庇としての役割も果たしている。
【００５２】
それゆえ、その窪み部分に開口５７１が設けられることにより、取っ手５７ａが開口５７１に直に雨水がかかることを抑制するので、外気のみが開口５７１を通って右側板４７の外気吸入口４７１に到達するようになる。
【００５３】
本実施形態では、外気吸入口４７１と開口５７１とをほぼ同じ高さ位置となるように寸法が設定されている。
【００５４】
（４）加湿ユニット６０の詳細構成
（４−１）加湿ロータ６３
図４に示すように、加湿ロータ６３は、円板状で、鉛直軸周りに回された傾斜姿勢であり、吹出口４６ａの開口面に対して所定角度θだけ傾斜している。その所定角度θは９０°未満（０°を含まない）であるが、５°〜４５°の範囲内であることが望ましく、推奨値は２８．５°である。
【００５５】
加湿ロータ６３の板面が吹出口４６ａの開口面に対して所定角度θだけ傾斜することによって、ケーシング４０のコーナー若しくはデッドスペースへの配置を容易にし、室外ユニット３０のサイズ拡大を抑制することができる。
【００５６】
図５は、加湿ロータ及び加湿ロータを通過する空気の流れを示す斜視図である。図５において、加湿ロータ６３は、モータ駆動によって回転することができる。加湿ロータ６３は、中心角２４０°分の扇形領域で水分を吸着しており、説明の便宜上、この領域を水分吸着領域６３ａという。また、加湿ロータ６３は、水分吸着領域６３ａに隣接する中心角１２０°分の扇形領域で水分を放出しており、説明の便宜上、この領域を水分放出領域６３ｂという。つまり、加湿ロータ６３は、回転角度によって水分吸着領域６３ａであった部分が水分放出領域６３ｂとなり、水分放出領域６３ｂであった部分が水分吸着領域６３ａとなる。
【００５７】
加湿ロータ６３は、周囲にギア６３ｔが設けられている。また、ギア６３ｔはピニオンギア６４ａと噛み合っており、ピニオンギア６４ａがロータ駆動用モータ６４の動力によって回転することによって、ギア６４ｔと共に加湿ロータ６３全体が回転する。
【００５８】
また、水分吸着領域６３ａ及び水分放出領域６３ｂは、ゼオライト等の焼成によって形成されたハニカム構造である。ゼオライト等の吸着剤は、常温で空気から水分を吸着し、ヒータなどで加熱された空気に曝されて温度上昇したときに水分を放出する。
【００５９】
したがって、加湿ユニット６０では、加湿ロータ６３の水分放出領域６３ｂと前板４６との間に、水分放出領域６３ｂと対向するようにヒータ７１が配置されている。
【００６０】
（４−２）吸着用ダクト６８
図６は、ヒータ７１を取り外した状態の加湿ユニット６０の参考斜視図である。図６は、図３に記載の加湿ユニット６０と完全一致のモデルではないが、機能的には同等であり、各部の作用を説明する上で何ら支障はない。
【００６１】
図６において、加湿ユニット６０は、水分吸着領域６３ａに外気を導くための吸着用ダクト６８が設けられている。吸着用ダクト６８は、前板４６の吸込開口４６ｂ（図２参照）に向かって開口する外気導入口６８１を形成している。
【００６２】
水分を含む空気は、外気導入口６８１から吸い込まれた後、吸着用ダクト６８内を流れて加湿ロータ６３の水分吸着領域６３ａに到達し、そこを透過する際に水分が吸着され、空気排出口６８３（図４参照）から排出される。空気排出口６８３は、室外ファン３９が回転するときに負圧になる空間（つまり、ベルマウス５２の上流側端部５２３）に隣接しており、空気排出口６８３側の気圧が外気導入口６８１側より低くなる作用によって、空気が外気導入口６８１から吸い込まれる。なお、水分吸着領域６３ａが水分放出領域６３ｂよりもベルマウス５２側に配置されている。
【００６３】
図２に示すように、吸込開口４６ｂは、前板４６の吹出口４６ａの右斜め上側に設けられており、吹出口４６ａと同様に前板４６の前方に向かって開口している。室外ファン３９によって前方へ押し出された空気は、ベルマウス５２に沿って進み、吹出口４６ａから勢いよく吹き出されるので、吹出口４６ａから吹き出された空気が吸込開口４６ｂから吸い込まれることはない。
【００６４】
上記のような構成を採る目的は、より水分を含んだ空気を取り込むためである。通常、加湿運転は、暖房運転時に行われるので、室外熱交換器３３を通過した空気は低温低湿になっている。このため、低温空気が吸い込まれた場合、加湿ロータ６３が吸着することができる水分量が低下する。しかしながら、吸込開口４６ｂ及び外気導入口６８１が室外熱交換器３３を通過した空気を吸い込まない構成にしておけば、より水分を含んだ外気を取り込むことができるので、加湿ロータ６３が吸着する水分量が低下することを防止することができる。
【００６５】
また、図４に示すように、加湿ロータ６３の板面が吹出口４６ａの開口面に対して所定角度θだけ傾斜するということは、吸込開口４６ｂに対して所定角度θだけ傾斜していることであり、吸着用ダクト６８の空気排出口６８３も同様に傾斜している。
【００６６】
それゆえ、ベルマウス５２の上流側端部と、空気排出口６８３がより接近し、空気排出口６８３はベルマウス５２の上流側端部の負圧の効果をより多く受けることができる。その結果、吸込開口４６ｂからより多くの外気を流入させることができる。
【００６７】
（４−３）ヒータ７１
ヒータ７１は、加湿ロータ６３の水分放出領域６３ｂから水分を放出させるために、水分放出領域６３ｂに送られる空気を加熱する。加熱された空気は、水分放出領域６３ｂを透過するときに加湿ロータ６３から水分を放出させて、高湿の空気となって加湿用ダクト７３に入る。
【００６８】
（４−４）加湿用ダクト７３
図１及び図６に示すように、加湿用ダクト７３は、空気をヒータ７１経由で水分放出領域６３ｂまで導き、さらに加湿ロータ６３を透過した空気をファン７５まで導く。加湿用ダクト７３に導かれる空気の流れは、ファン７５によって発生する。
【００６９】
加湿用ダクト７３に導かれる空気は、図３及び図４に示すように、加湿ロータ６３を挟んでヒータ７１と反対側に位置する加熱前外気入口７３１からヒータ７１に向かい、ヒータ７１に加熱されて高温空気になり、さらに、加湿ロータ６３を透過する際に水分放出領域６３ｂから水分を放出させ高温高湿空気となってファン７５に向う。
【００７０】
（４−５）ファン７５
ファン７５は、図１に示すように、加湿空気を所定の方向へ送り出す羽根車７５ａと、その羽根車７５ａを駆動するファンモータ７５ｂとを有している。ファン７５は、羽根車７５ａの回転軸が水平方向となる姿勢で配置され、羽根車７５ａの回転軸にファンモータ７５ｂの回転軸が直結されている。また、ファン７５は機械室４２に配置されている。
【００７１】
また、羽根車７５ａはファンケーシング８１に囲まれており、このファンケーシング８１と加湿用第２ダクト１８０の入口とが繋がっている。ファンモータ７５ｂは、外側をモータカバー８２で覆われている。
【００７２】
（４−６）連絡ダクト７７
図７は、外気吸入口４７１、加熱前外気入口７３１、及び両者を連絡する連絡ダクト７７の位置関係を示す概略断面図である。図７において、連絡ダクト７７は、樹脂製の成形部材である。連絡ダクト７７は、ダクト入口７７１と、ダクト出口７７３と、連絡路７７５とを有している。
【００７３】
図７に示すように、右側板４７には、外気を吸入するための開口である外気吸入口４７１が予め設けられている。そして、ダクト入口７７１は、その外気吸入口４７１に対向するように配置されている。
【００７４】
ダクト出口７７３は、加湿用ダクト７３の加熱前外気入口７３１に挿入される。連絡路７７５は、ダクト入口７７１とダクト出口７７３とを結んでいる。
【００７５】
外気吸入口４７１から取り入れられた外気は、連絡ダクト７７を通って加熱前外気入口７３１に到達する。
【００７６】
なお、外気吸入口４７１から吸入した外気を分岐させて、電装品ユニット５０へ送風してもよい。電装品ユニット５０内には高発熱部品を実装した制御基板５１が搭載されているので、その分岐させた外気で高発熱部品を冷却することができるからである。
【００７７】
（４−７）加湿用第２ダクト１８０
加湿用第２ダクト１８０は、ファン７５から押し出される高温高湿空気を給気ホース１８（図１参照）の接続口まで導くダクトである。加湿用第２ダクト１８０のほぼ全体が機械室４２に位置しているが、図３及び図４に示すように、給気ホース１８との接続口を含む所定部分だけは、右側板４７を挟んで機械室４２の反対側に位置する。
【００７８】
図６に示すように、加湿用第２ダクト１８０は、横方向ダクト部１８１と縦方向ダクト部１８２とを有している。横方向ダクト部１８１は高温高湿空気を横方向に導くダクトであり、縦方向ダクト部１８２は横方向ダクト部１８１に流入した高温高湿空気を下方に導くダクトである。横方向ダクト部１８１は、機械室４２から右側板４７の後方端に向って延びている。
【００７９】
図６では、横方向ダクト部１８１と縦方向ダクト部１８２とが９０°程度の角度を成しているが、あくまでも参考であり９０°以上の角度であってもよい。
【００８０】
なお、縦方向ダクト部１８２は、横方向ダクト部１８１との接続口から下方に延び、終端が、給気ホース１８と接続される。
【００８１】
（５）空調機１０の動作
（５−１）冷房運転
冷房運転時、四路切換弁３２は、圧縮機３１の吐出側と室外熱交換器３３のガス側とを接続し、且つ圧縮機３１の吸入側と室内熱交換器２１のガス側とを接続する（図１の実線で示される状態）。
【００８２】
また、液側閉鎖弁３７及びガス側閉鎖弁３８は開状態である。電動膨張弁３４の開度は、室内熱交換器２１の冷媒出口における冷媒の過熱度ＳＨが過熱度目標値で一定になるように調節される。
【００８３】
この冷媒回路の状態で、圧縮機３１、室外ファン３９および室内ファン２２を運転すると、低圧のガス冷媒は、圧縮機３１に吸入されて圧縮されて高圧のガス冷媒となる。その後、高圧のガス冷媒は、四路切換弁３２を経由して室外熱交換器３３に送られて、室外ファン３９によって供給される室外空気と熱交換を行って凝縮して高圧の液冷媒となる。そして、この高圧の液冷媒は、電動膨張弁３４で減圧された後、液側閉鎖弁３７および液冷媒連絡配管１４を経由して、室内ユニット２０に送られる。
【００８４】
この室内ユニット２０に送られた低圧の冷媒は、気液二相状態の冷媒となって室内熱交換器２１に入り、室内熱交換器２１において室内空気と熱交換を行って蒸発して低圧のガス冷媒となる。
【００８５】
この低圧のガス冷媒は、ガス冷媒連絡配管１６を経由して室外ユニット３０に送られ、ガス側閉鎖弁３８及び四路切換弁３２を経由して、アキュムレータ３６に流入する。そして、アキュムレータ３６に流入した低圧のガス冷媒は、再び、圧縮機３１に吸入される。
【００８６】
このように、空調機１０では、室外熱交換器３３を冷媒の凝縮器として、かつ、室内熱交換器２１を冷媒の蒸発器として機能させる冷房運転を行うことができる。
【００８７】
（５−２）暖房運転
暖房運転時、四路切換弁３２は、圧縮機３１の吐出側と室内熱交換器２１のガス側とを接続し、且つ圧縮機３１の吸入側と室外熱交換器３３のガス側とを接続する（図１の破線で示される状態）。
【００８８】
また、電動膨張弁３４の開度は、室外熱交換器３３に流入する冷媒を室外熱交換器３３において蒸発させることが可能な圧力まで減圧するように調節される。液側閉鎖弁３７及びガス側閉鎖弁３８は開状態である。
【００８９】
この冷媒回路の状態で、圧縮機３１、室外ファン３９および室内ファン２２を運転すると、低圧のガス冷媒は、圧縮機３１に吸入されて圧縮されて高圧のガス冷媒となり、四路切換弁３２、ガス側閉鎖弁３８およびガス冷媒連絡配管１６を経由して、室内ユニット２０に送られる。
【００９０】
室内ユニット２０に送られた高圧のガス冷媒は、室内熱交換器２１において、室内空気と熱交換を行って凝縮して高圧の液冷媒となり、液冷媒連絡配管１４を経由して室外ユニット３０に送られる。
【００９１】
液冷媒は、液側閉鎖弁３７を通過して、電動膨張弁３４に入る。液冷媒は、電動膨張弁３４で減圧された後に、室外熱交換器３３に流入する。室外熱交換器３３に流入した低圧の気液二相状態の冷媒は、室外ファン３９によって供給される室外空気と熱交換を行って蒸発して低圧のガス冷媒となり、四路切換弁３２を経由してアキュムレータ３６に流入する。アキュムレータ３６に流入した低圧のガス冷媒は、再び、圧縮機３１に吸入される。
【００９２】
（５−３）加湿運転
空調機１０では、加湿運転は暖房運転と組み合わせて行われる。図１〜図６に示すように、吸着用ダクト６８の外気導入口６８１（図３参照）は前板４６の吸込開口４６ｂ（図２参照）に向かって開口し、空気排出口６８３（図４参照）は室外ファン３９が回転するときに負圧となるベルマウス５２の上流側端部５２３に隣接している。室外ファン３９が稼動すると、空気排出口６８３側の気圧が外気導入口６８１側より低くなり、その作用によって「室外熱交換器３３を通っていない、水分を含んだ外気」が吸込開口４６ｂを経て外気導入口６８１から吸い込まれる。
【００９３】
加湿ロータ６３は、外気導入口６８１と空気排出口６８３との間で且つ空気排出口６８３近傍に位置し、加湿運転時にはロータ駆動用モータ６４（図５参照）の動力によって所定の回転速度で回転している。加湿ロータ６３の回転によって、水分吸着領域６３ａで加湿ロータ６３に吸着された水分は加湿ロータ６３の回転に伴って水分放出領域６３ｂに運ばれ、ヒータ７１に対向する位置に来る。
【００９４】
また、ファン７５（図１参照）も駆動しているので、ヒータ７１に加熱される前の空気は、図７に示すように右側板４７の外気吸入口４７１から取り入れられ、連絡ダクト７７を通り、加熱前外気入口７３１に到達した後、ヒータ７１に向かう。加熱前外気は、ヒータ７１周囲に回り込み、加熱される。
【００９５】
加熱された空気は、加湿ロータ６３の水分放出領域６３ｂを通るので、その加熱された空気に曝された部分から水分が放出される。そして、水分を含んだ空気（以下、加湿空気という。）はファン７５に吸い込まれ、加湿用第２ダクト１８０を介して給気ホース１８へと吹き出される。加湿された空気は、給気ホース１８を経て室内ユニット２０へと導かれる。
【００９６】
室外ユニット３０は、家屋の壁面に近接するように据え付けられる傾向にあるが、一般に、液冷媒連絡配管１４が接続される液側閉鎖弁３７、ガス冷媒連絡配管１６が接続されるガス側閉鎖弁３８、及び／又は電気配線の結線部５５０が位置する側面（本実施形態では右側板４７）は、配管施工、又は電気配線の施工上、必ず作業空間を必要とするので、必然的に隙間が確保される。
【００９７】
それゆえ、右側板４７を壁面に近接させることは実質的に不可能であるため、外気吸入口４７１からの吸入抵抗が増大することはない。したがって、室内へ送る加湿空気の必要量は十分に確保される。
【００９８】
（６）特徴
（６−１）
室外ユニット３０では、ケーシング４０の右側板４７に加湿ユニット６０の外気吸入口４７１が形成されることによって、外気吸入口４７１の吸入抵抗が増大することはなく、室内へ送る加湿空気の必要量が確保される。その結果、加湿空気が室内ユニット２０に到達する経路での結露が抑制され、加湿空気と結露水との間で異音が発生することも回避される。
【００９９】
（６−２）
室外ユニット３０では、据付時、家屋の壁面とケーシング４０との隙間はサービスパーソンの判断に委ねられるが、液側閉鎖弁３７、ガス側閉鎖弁３８、及び／又は電気配線の結線部５５０が位置する右側板４７側は、配管施工、又は電気配線の施工上、必ず作業空間を必要とするので、必然的に隙間が確保される。それゆえ、外気吸入口４７１からの吸入抵抗が増大することはなく、室内へ送る加湿空気の必要量が確保される。
【０１００】
（６−３）
室外ユニット３０では、外気吸入口４７１が、開口５７１を有する閉鎖弁カバー５７で覆われることによって、外気吸入を阻害することなく、雨水、小動物の侵入を防止することができる。
【０１０１】
（６−４）
室外ユニット３０では、取っ手５７ａの窪み部分に開口５７１が設けられることにより、開口５７１に直に雨水が浸入することが抑制され、外気吸入口４７１への雨水浸入が防止される。
【０１０２】
（６−５）
室外ユニット３０では、加湿ユニット６０に加えて電装品ユニット５０も外気を必要とするので、開口５７１から取り込まれる外気を両方へ分岐させることにより、別に風路を設ける手間が省ける。
【産業上の利用可能性】
【０１０３】
以上のように、本願発明によれば、加湿ユニットを備えた空調機の室外ユニットに限らず、仕切部材によって空間を２分割されたケーシング内にそれら２つの空間を跨ぐように他のユニットが配置される機器にも有用である。
【符号の説明】
【０１０４】
１０      空調機
２０      室内ユニット
３０      室外ユニット
３７      液側閉鎖弁（配管接合部）
３８      ガス側閉鎖弁（配管接合部）
４０      ケーシング（本体ケーシング）
４４      背面部（背面）
４４ａ    吸込口
４６      前板（前面）
４６ａ    吹出口
４７      右側板（側面）
４７１    外気吸入口
５０      電装品ボックス
５７      閉鎖弁カバー（カバー）
５７ａ    取っ手
５７１    開口
６０      加湿ユニット（加湿部）
５５０    結線部
【先行技術文献】
【特許文献】
【０１０５】
【特許文献１】特開２００８−１９０８２８号公報
【図１】
2017083147.tif 000003
【図２】
2017083147.tif 000004
【図３】
2017083147.tif 000005
【図４】
2017083147.tif 000006
【図５】
2017083147.tif 000007
【図６】
2017083147.tif 000008
【図７】
2017083147.tif 000009
【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
冷媒連絡配管を介して室内ユニット（２０）に接続される空調機の室外ユニットであって、
外気吸入口（４７１）から外気を取り入れ、加湿ロータ（６３）で前記外気を加湿して生成した加湿空気を前記室内ユニット（２０）側へ送出する加湿部（６０）と、
前記加湿部（６０）を収容し、吸込口（４４ａ）を有する背面（４４）と吹出口（４６ａ）を有する前面（４６）とを含む外郭を形成する本体ケーシング（４０）と、
を備え、
前記加湿部（６０）の前記外気吸入口（４７１）は、前記本体ケーシング（４０）のうち前記背面（４４）と前記前面（４６）とに挟まれた側面（４７）に形成されており、
前記加湿部（６０）は、前記外気吸入口（４７１）から取り入れられた外気を前記加湿ロータ（６３）へ導く連絡ダクト（７７）を有する、
空調機の室外ユニット（３０）。
【請求項２】
前記側面（４７）は、前記冷媒連絡配管の配管接合部が位置する側の面である、
請求項１に記載の空調機の室外ユニット（３０）。
【請求項３】
前記側面（４７）は、前記室内ユニット（２０）からの電気配線の結線部が位置する側の面である、
請求項１に記載の空調機の室外ユニット（３０）。
【請求項４】
前記側面（４７）に装着され、前記外気吸入口（４７１）及び前記配管接合部を覆うカバー（５７）をさらに備え、
前記カバー（５７）が開口（５７１）を有する、
請求項２に記載の空調機の室外ユニット（３０）。
【請求項５】
前記側面（４７）に装着され、前記外気吸入口（４７１）及び前記結線部を覆うカバー（５７）をさらに備え、
前記カバー（５７）が開口（５７１）を有する、
請求項３に記載の空調機の室外ユニット（３０）。
【請求項６】
前記カバー（５７）は、その一部が前記側面（４７）側へ窪むことによって形成された取っ手（５７ａ）を有し、
前記開口（５７１）は、前記取っ手（５７ａ）の窪み部分に設けられ、前記カバー（５７）が前記側面（４７）に装着されたとき、前記開口（５７１）と前記外気吸入口（４７１）とが対峙する、
請求項４又は請求項５に記載の空調機の室外ユニット（３０）。
【請求項７】
電装品ボックス（５０）をさらに備え、
前記開口（５７１）から吸入される外気の一部が前記電装品ボックス（５０）内に流れる、
請求項４から請求項６のいずれか１項に記載の空調機の室外ユニット（３０）。
【手続補正２】
【補正対象書類名】明細書
【補正対象項目名】全文
【補正方法】変更
【補正の内容】
【発明の詳細な説明】
【技術分野】
【０００１】
本発明は、空調機の室外ユニットに関し、特に加湿機能を有する空調機の室外ユニットに関する。
【背景技術】
【０００２】
近年、加湿機能を有する空調機の室外ユニットが広く普及するようになった。例えば、特許文献１（特開２００８−１９０８２８号公報）に開示されている室外ユニットでは、吸着部材が前面に平行で且つ吸着部材の一部が前面から視て吹出口と重なるように配置され、背面側から吸い込まれて室外熱交換器を通過した空気がその吸着部材に流れる。吸着部材は自己を通過する空気から水分を吸着し、所定の場所で加熱され水分を放出し加湿空気を生成する。
【発明の概要】
【発明が解決しようとする課題】
【０００３】
上記のような室外ユニットは、据え付けられる際に背面側を家屋等の壁面に可能な限り近接させて設置される傾向にあり、外気吸入口に壁面が接近することによって吸入抵抗の増大という弊害を招来する。かかる場合、室内へ送る加湿空気の量が減少し、それが搬送用ホース内の結露を助長し、搬送用ホース内を流れる加湿空気と結露水との間で異音が発生する。
【０００４】
本発明の課題は、室外ユニットが家屋等の壁面に近接するように設置された場合でも、加湿空気の量を減少させない、空調機の室外ユニットを提供することにある。
【課題を解決するための手段】
【０００５】
本発明の第１観点に係る空調機の室外ユニットは、冷媒連絡配管を介して室内ユニットに接続される空調機の室外ユニットであって、加湿部と、本体ケーシングとを備えている。加湿部は、外気吸入口から外気を取り入れ、加湿ロータで外気を加湿して生成した加湿空気を室内ユニット側へ送出する。本体ケーシングは、加湿部を収容し、吸込口を有する背面と吹出口を有する前面とを含む外郭を形成している。加湿部の外気吸入口は、本体ケーシングのうち背面と前面とに挟まれた側面に形成されている。また、加湿部は、外気吸入口から取り入れられた外気を加湿ロータへ導く連絡ダクトを有している。
【０００６】
室外ユニットの据付において、本体ケーシングの側面を家屋等の壁面に近接させて設置することは極めて稀である。そのため、この室外ユニットでは、本体ケーシングの側面に加湿部の外気吸入口が形成されることによって、外気吸入口の吸入抵抗が増大することはなく、室内へ送る加湿空気の必要量が確保される。その結果、加湿空気が室内ユニットに到達する経路での結露が抑制され、加湿空気と結露水との間で異音が発生することも回避される。
【０００７】
本発明の第２観点に係る空調機の室外ユニットは、第１観点に係る空調機の室外ユニットであって、側面が、冷媒連絡配管の配管接合部が位置する側の面である。
【０００８】
この室外ユニットでは、据付時、家屋の壁面と本体ケーシングとの隙間はサービスパーソンの判断に委ねられるが、冷媒連絡配管の配管接合部が位置する側面は、配管施工上、必ず作業空間を必要とするので、必然的に隙間が確保される。それゆえ、外気吸入口からの吸入抵抗が増大することはなく、室内へ送る加湿空気の必要量が確保される。
【０００９】
本発明の第３観点に係る空調機の室外ユニットは、第１観点に係る空調機の室外ユニットであって、側面が、室内ユニットからの電気配線の結線部が位置する側の面である。
【００１０】
この室外ユニットでは、据付時、家屋の壁面と本体ケーシングとの隙間はサービスパーソンの判断に委ねられるが、電気配線の結線部が位置する側面は、施工上、必ず作業空間を必要とするので、必然的に隙間が確保される。それゆえ、外気吸入口からの吸入抵抗が増大することはなく、室内へ送る加湿空気の必要量が確保される。
【００１１】
本発明の第４観点に係る空調機の室外ユニットは、第２観点に係る空調機の室外ユニットであって、側面に装着され、外気吸入口及び配管接合部を覆うカバーをさらに備えている。カバーは、開口を有している。
【００１２】
この室外ユニットでは、外気吸入口が開口を有するカバーで覆われることによって、外気導入を阻害することなく、雨水、小動物の侵入を防止することができる。
【００１３】
本発明の第５観点に係る空調機の室外ユニットは、第３観点に係る空調機の室外ユニットであって、側面に装着され、外気吸入口及び結線部を覆うカバーをさらに備えている。カバーは開口を有している。
【００１４】
この室外ユニットでは、外気吸入口が開口を有するカバーで覆われることによって、外気吸入を阻害することなく、雨水、小動物の侵入を防止することができる。
【００１５】
本発明の第６観点に係る空調機の室外ユニットは、第４観点又は第５観点に係る空調機の室外ユニットであって、カバーが、その一部が側面側へ窪むことによって形成された取っ手を有している。開口は、取っ手の窪み部分に設けられ、カバーが側面に装着されたとき、開口と外気吸入口とが対峙する。
【００１６】
この室外ユニットでは、取っ手は、サービスパーソンが室外ユニットを持ち上げる際に手を掛けるための窪み部分であり、手を掛ける部分が庇としての役割を果たす。それゆえ、取っ手の窪み部分に開口が設けられることにより、開口に直に雨水が浸入することが抑制され、外気吸入口への雨水浸入が防止される。
【００１７】
本発明の第７観点に係る空調機の室外ユニットは、第４観点から第６観点のいずれか１つに係る空調機の室外ユニットであって、電装品ボックスをさらに備えている。開口から吸入される外気の一部は、電装品ボックス内に流れる。
【００１８】
この室外ユニットでは、加湿部に加えて電装品ボックスも外気を必要とするので、開口から取り込まれる外気を両方へ分岐させることにより、別に風路を設ける手間が省ける。
【発明の効果】
【００１９】
本発明の第１観点に係る空調機の室外ユニットでは、本体ケーシングの側面に加湿部の外気吸入口が形成されることによって、外気吸入口の吸入抵抗が増大することはなく、室内へ送る加湿空気の必要量が確保される。その結果、加湿空気が室内ユニットに到達する経路での結露が抑制され、加湿空気と結露水との間で異音が発生することも回避される。
【００２０】
本発明の第２観点に係る空調機の室外ユニットでは、据付時、家屋の壁面と本体ケーシングとの隙間はサービスパーソンの判断に委ねられるが、冷媒連絡配管の配管接合部が位置する側面は、配管施工上、必ず作業空間を必要とするので、必然的に隙間が確保される。それゆえ、外気吸入口からの吸入抵抗が増大することはなく、室内へ送る加湿空気の必要量が確保される。
【００２１】
本発明の第３観点に係る空調機の室外ユニットでは、据付時、家屋の壁面と本体ケーシングとの隙間はサービスパーソンの判断に委ねられるが、電気配線の結線部が位置する側面は、施工上、必ず作業空間を必要とするので、必然的に隙間が確保される。それゆえ、外気吸入口からの吸入抵抗が増大することはなく、室内へ送る加湿空気の必要量が確保される。
【００２２】
本発明の第４観点又は第５観点に係る空調機の室外ユニットでは、外気吸入口が開口を有するカバーで覆われることによって、外気導入を阻害することなく、雨水、小動物の侵入を防止することができる。
【００２３】
本発明の第６観点に係る空調機の室外ユニットでは、取っ手は、サービスパーソンが室外ユニットを持ち上げる際に手を掛けるための窪み部分であり、手を掛ける部分が庇としての役割を果たす。それゆえ、取っ手の窪み部分に開口が設けられることにより、開口に直に雨水が浸入することが抑制され、外気吸入口への雨水浸入が防止される。
【００２４】
本発明の第７観点に係る空調機の室外ユニットでは、加湿部に加えて電装品ボックスも外気を必要とするので、開口から取り込まれる外気を両方へ分岐させることにより、別に風路を設ける手間が省ける。
【図面の簡単な説明】
【００２５】
【図１】本発明の一実施形態に係る室外ユニットを備えた冷凍装置の構成図。
【図２】室外ユニットの外観斜視図。
【図３】防護用グリル、ベルマウス、天板、及び閉鎖弁カバーが取り外された状態の室外ユニットの斜視図。
【図４】防護用グリル、天板、及び閉鎖弁カバーが取り外された状態の室外ユニットの平面図。
【図５】加湿ロータ及びその加湿ロータを通過する空気の流れを示す斜視図。
【図６】ヒータを取り外した状態の加湿ユニットの参考斜視図。
【図７】外気吸入口、加熱前外気入口、及び両者を連絡する連絡ダクトの位置関係を示す概略断面図。
【発明を実施するための形態】
【００２６】
以下、図面を参照しながら、本発明の実施形態について説明する。なお、以下の実施形態は、本発明の具体例であって、本発明の技術的範囲を限定するものではない。
【００２７】
（１）空調機１０の構成の概要
図１は、本発明の一実施形態に係る室外ユニット３０を備えた冷凍装置の構成図である。図１において、この冷凍装置は、室内ユニット２０と、室外ユニット３０と、それらを接続する冷媒連絡配管１４，１６を備えた空調機１０である。空調機１０は、冷房運転、暖房運転、除湿運転、加湿運転、及び給気運転などの複数の運転モードを持っており、これらの運転モードを適宜組み合わせることもできる。
【００２８】
室内ユニット２０には室内熱交換器２１が搭載され、室外ユニット３０には圧縮機３１、四路切換弁３２、室外熱交換器３３、電動膨張弁３４、アキュムレータ３６、液側閉鎖弁３７及びガス側閉鎖弁３８が搭載されている。
【００２９】
また、加湿運転、及び給気運転では、室内に外気を供給するため、給気ホース１８を通して室内ユニット２０と室外ユニット３０との間で空気の移動がある。特に、加湿運転では、水分を多く含んだ湿度の高い空気を室外ユニット３０から室内ユニット２０に供給するため室外ユニット３０において外気から水分を取り込む。
【００３０】
本実施形態では、加湿ユニット６０が室外ユニット３０内に設けられており、加湿ユニット６０が外気から水分を取り込む機能を有している。
【００３１】
（２）室内ユニット２０の構成
室内ユニット２０には、図１に示すようにモータで駆動される室内ファン２２が室内熱交換器２１の下流側に配置されている。室内ファン２２は、クロスフローファンである。室内ファン２２が駆動されると、室内ユニット２０上部の吸込口２３から吸い込まれた室内空気は、室内熱交換器２１を通過して室内ユニット２０下部の吹出口２４から吹き出される。
【００３２】
また、室内ユニット２０には、給気ホース１８の給気口２５が、室内熱交換器２１の上流側空間に設けられている。給気ホース１８は加湿ユニット６０に接続されており、加湿ユニット６０から送られてくる湿度の高い空気が給気口２５から室内熱交換器２１の上流側空間に供給される。このような湿度の高い空気が給気口２５から供給されている状態で室内ファン２２を駆動することにより、室内ユニット２０の吹出口２４から吹き出される調和空気の湿度を高くすることができる。
【００３３】
（３）室外ユニット３０の構成
（３−１）全体構成
図２は、室外ユニット３０の外観斜視図である。また、図３は、室外ユニット３０から防護用グリル５６、ベルマウス５２、天板４８、及び閉鎖弁カバー５７が取り外された状態の当該室外ユニット３０の斜視図である。さらに、図４は、防護用グリル５６、天板４８、及び閉鎖弁カバー５７が取り外された状態の室外ユニット３０の平面図である。
【００３４】
図１〜図４において、室外ユニット３０は、ケーシング４０、室外熱交換器３３、室外ファン３９、加湿ユニット６０を備えている。室外ファン３９が駆動されると、外気が室外熱交換器３３の後面側から吸い込まれ、室外熱交換器３３を通過し、吹出口４６ａ（図２参照）から吹き出される。通常、吹出口４６ａの前方は防護用グリル５６（図２参照）で覆われており、外部からプロペラ３９ｂに触れられないようになっている。
【００３５】
加湿ユニット６０の少なくとも一部は室外ユニット３０の送風機室４１に配置され、他は機械室４２に配置される。
【００３６】
（３−２）詳細構成
（３−２−１）ケーシング４０
図２から図４に示す通り、ケーシング４０は、図２に記載の防護用グリル５６側を正面に視た状態において、左側面を形成する左側板４５（図４参照）、前面を形成する前板４６、右側面を形成する右側板４７（図３参照）、天面を形成する天板４８（図２参照）、底面を形成する底板４９（図３参照）、及び背面部４４（図４参照）からなる筐体であり、内部を仕切部材４３（図３参照）によって送風機室４１と機械室４２とに分けられている。送風機室４１には、室外熱交換器３３及び室外ファン３９が配置されている。機械室４２には、圧縮機３１及び加湿ユニット６０の一部が配置されている。
【００３７】
仕切部材４３は、天板４８側から底板４９側に向って鉛直方向に延びている。また、仕切部材４３は、前板４６内面側から室外熱交換器３３の右端向かって直線部分及び円弧部分を形成しながら延びている。その結果、仕切部材４３は送風機室４１から機械室４２に風が回り込まないように遮蔽する機能を有している。
【００３８】
また、図２に示すように、前板４６に形成された吹出口４６ａは円形である。吹出口４６ａには、その周縁に沿うようにリング状のベルマウス５２の下流側端部５２１（図４参照）が取り付けられている。
【００３９】
さらに、前板４６には、吹出口４６ａの周縁と右上コーナーとの挟まれた領域に吸込開口４６ｂ（図２参照）が形成されている。この吸込開口４６ｂは、室外熱交換器３３を通過していない外気を取り入れるために設けられている。
【００４０】
（３−２−２）圧縮機３１
図１に示すように、圧縮機３１は、機械室４２側に位置しており、底板４９に固定されている。運転時、圧縮機３１は高温になるので、機械室４２は送風機室４１に比較して温度が高くなっている。
【００４１】
（３−２−３）電装品ユニット５０
図３に示すように、電装品ユニット５０は送風機室４１に位置しており、圧縮機３１および室外ファン３９などを駆動するための電子部品を集約した制御基板を搭載している。
【００４２】
（３−２−４）室外熱交換器３３
図４に示すように、室外熱交換器３３は、ケーシング４０の背面部４４と左側板４５とに対峙できるように、Ｌ字状に成形されている。また、室外熱交換器３３の高さは、天板４８と底板４９との距離にほぼ等しい寸法を有している。
【００４３】
（３−２−５）室外ファン３９
室外ファン３９は、ファンモータ３９ａによって駆動されるプロペラ３９ｂを有しており、室外熱交換器３３の下流側に設けられている。プロペラ３９ｂの一部は、このベルマウス５２で囲まれた空間内に入るように配置されている。
【００４４】
（３−２−６）仕切部材４３
仕切部材４３は、ケーシング４０内を送風機室４１と機械室４２とに仕切る。本実施形態では、加湿ユニット６０の一部が機械室４２の上部に配置されるので、加湿ユニット６０が仕切部材４３上部の一部分を兼ねている。
【００４５】
（３−２−７）加湿ユニット６０
図４に示すように、加湿ユニット６０は、前板４６と背面部４４との間で、送風機室４１と機械室４２とに跨るように配置されている。加湿ユニット６０は、加湿ロータ６３、吸着用ダクト６８、ヒータ７１（図１参照）、加湿用ダクト７３（図１参照）、ファン７５（図１参照）、及び加湿用第２ダクト１８０（図３参照）を有している。
【００４６】
（３−２−８）防護用グリル５６
図２に示すように、防護用グリル５６は、ケーシング４０の前板４６に取り付けられ、吹出口４６ａを覆っている。防護用グリル５６には、空気を吹き出すため、複数の開口部が形成されている。
【００４７】
（３−２−９）閉鎖弁カバー５７
図３に示すように右側板４７の下方には、液冷媒連絡配管１４が接続される液側閉鎖弁３７と、ガス冷媒連絡配管１６が接続されるガス側閉鎖弁３８とが外側に突出している。
【００４８】
閉鎖弁カバー５７は、液側閉鎖弁３７及びガス側閉鎖弁３８を覆うカバーである。また、閉鎖弁カバー５７は、右側板４７に予め設けられている開口から突出する加湿用第２ダクト１８０をも覆う。当該開口は、加湿ユニット６０のヒータ７１側に取り入れられる外気の吸入口としての機能もあり、説明の便宜上、外気吸入口４７１とよぶ。
【００４９】
また、外気吸入口４７１は、電気配線の取り入れ口、取り出し口としての機能も有し、外気吸入口４７１の近傍に電気配線の結線部５５０が設けられている。
【００５０】
閉鎖弁カバー５７は、右側板４７にビス止めにより固定される。図２に示すように、閉鎖弁カバー５７が、右側板４７に固定されると、液側閉鎖弁３７、ガス側閉鎖弁３８、加湿用第２ダクト１８０、結線部５５０及び外気吸入口４７１は閉鎖弁カバー５７で覆われて保護される。
【００５１】
閉鎖弁カバー５７の外側には、サービスパーソンが室外ユニット３０を持ち上げる際に手を掛けるための窪み部分が設けられており、窪み部分の上側が手を掛ける取っ手５７ａとして機能する。取っ手５７ａは、その窪み部分の庇としての役割も果たしている。
【００５２】
それゆえ、その窪み部分に開口５７１が設けられることにより、取っ手５７ａが開口５７１に直に雨水がかかることを抑制するので、外気のみが開口５７１を通って右側板４７の外気吸入口４７１に到達するようになる。
【００５３】
本実施形態では、外気吸入口４７１と開口５７１とをほぼ同じ高さ位置となるように寸法が設定されている。
【００５４】
（４）加湿ユニット６０の詳細構成
（４−１）加湿ロータ６３
図４に示すように、加湿ロータ６３は、円板状で、鉛直軸周りに回された傾斜姿勢であり、吹出口４６ａの開口面に対して所定角度θだけ傾斜している。その所定角度θは９０°未満（０°を含まない）であるが、５°〜４５°の範囲内であることが望ましく、推奨値は２８．５°である。
【００５５】
加湿ロータ６３の板面が吹出口４６ａの開口面に対して所定角度θだけ傾斜することによって、ケーシング４０のコーナー若しくはデッドスペースへの配置を容易にし、室外ユニット３０のサイズ拡大を抑制することができる。
【００５６】
図５は、加湿ロータ及び加湿ロータを通過する空気の流れを示す斜視図である。図５において、加湿ロータ６３は、モータ駆動によって回転することができる。加湿ロータ６３は、中心角２４０°分の扇形領域で水分を吸着しており、説明の便宜上、この領域を水分吸着領域６３ａという。また、加湿ロータ６３は、水分吸着領域６３ａに隣接する中心角１２０°分の扇形領域で水分を放出しており、説明の便宜上、この領域を水分放出領域６３ｂという。つまり、加湿ロータ６３は、回転角度によって水分吸着領域６３ａであった部分が水分放出領域６３ｂとなり、水分放出領域６３ｂであった部分が水分吸着領域６３ａとなる。
【００５７】
加湿ロータ６３は、周囲にギア６３ｔが設けられている。また、ギア６３ｔはピニオンギア６４ａと噛み合っており、ピニオンギア６４ａがロータ駆動用モータ６４の動力によって回転することによって、ギア６４ｔと共に加湿ロータ６３全体が回転する。
【００５８】
また、水分吸着領域６３ａ及び水分放出領域６３ｂは、ゼオライト等の焼成によって形成されたハニカム構造である。ゼオライト等の吸着剤は、常温で空気から水分を吸着し、ヒータなどで加熱された空気に曝されて温度上昇したときに水分を放出する。
【００５９】
したがって、加湿ユニット６０では、加湿ロータ６３の水分放出領域６３ｂと前板４６との間に、水分放出領域６３ｂと対向するようにヒータ７１が配置されている。
【００６０】
（４−２）吸着用ダクト６８
図６は、ヒータ７１を取り外した状態の加湿ユニット６０の参考斜視図である。図６は、図３に記載の加湿ユニット６０と完全一致のモデルではないが、機能的には同等であり、各部の作用を説明する上で何ら支障はない。
【００６１】
図６において、加湿ユニット６０は、水分吸着領域６３ａに外気を導くための吸着用ダクト６８が設けられている。吸着用ダクト６８は、前板４６の吸込開口４６ｂ（図２参照）に向かって開口する外気導入口６８１を形成している。
【００６２】
水分を含む空気は、外気導入口６８１から吸い込まれた後、吸着用ダクト６８内を流れて加湿ロータ６３の水分吸着領域６３ａに到達し、そこを透過する際に水分が吸着され、空気排出口６８３（図４参照）から排出される。空気排出口６８３は、室外ファン３９が回転するときに負圧になる空間（つまり、ベルマウス５２の上流側端部５２３）に隣接しており、空気排出口６８３側の気圧が外気導入口６８１側より低くなる作用によって、空気が外気導入口６８１から吸い込まれる。なお、水分吸着領域６３ａが水分放出領域６３ｂよりもベルマウス５２側に配置されている。
【００６３】
図２に示すように、吸込開口４６ｂは、前板４６の吹出口４６ａの右斜め上側に設けられており、吹出口４６ａと同様に前板４６の前方に向かって開口している。室外ファン３９によって前方へ押し出された空気は、ベルマウス５２に沿って進み、吹出口４６ａから勢いよく吹き出されるので、吹出口４６ａから吹き出された空気が吸込開口４６ｂから吸い込まれることはない。
【００６４】
上記のような構成を採る目的は、より水分を含んだ空気を取り込むためである。通常、加湿運転は、暖房運転時に行われるので、室外熱交換器３３を通過した空気は低温低湿になっている。このため、低温空気が吸い込まれた場合、加湿ロータ６３が吸着することができる水分量が低下する。しかしながら、吸込開口４６ｂ及び外気導入口６８１が室外熱交換器３３を通過した空気を吸い込まない構成にしておけば、より水分を含んだ外気を取り込むことができるので、加湿ロータ６３が吸着する水分量が低下することを防止することができる。
【００６５】
また、図４に示すように、加湿ロータ６３の板面が吹出口４６ａの開口面に対して所定角度θだけ傾斜するということは、吸込開口４６ｂに対して所定角度θだけ傾斜していることであり、吸着用ダクト６８の空気排出口６８３も同様に傾斜している。
【００６６】
それゆえ、ベルマウス５２の上流側端部と、空気排出口６８３がより接近し、空気排出口６８３はベルマウス５２の上流側端部の負圧の効果をより多く受けることができる。その結果、吸込開口４６ｂからより多くの外気を流入させることができる。
【００６７】
（４−３）ヒータ７１
ヒータ７１は、加湿ロータ６３の水分放出領域６３ｂから水分を放出させるために、水分放出領域６３ｂに送られる空気を加熱する。加熱された空気は、水分放出領域６３ｂを透過するときに加湿ロータ６３から水分を放出させて、高湿の空気となって加湿用ダクト７３に入る。
【００６８】
（４−４）加湿用ダクト７３
図１及び図６に示すように、加湿用ダクト７３は、空気をヒータ７１経由で水分放出領域６３ｂまで導き、さらに加湿ロータ６３を透過した空気をファン７５まで導く。加湿用ダクト７３に導かれる空気の流れは、ファン７５によって発生する。
【００６９】
加湿用ダクト７３に導かれる空気は、図３及び図４に示すように、加湿ロータ６３を挟んでヒータ７１と反対側に位置する加熱前外気入口７３１からヒータ７１に向かい、ヒータ７１に加熱されて高温空気になり、さらに、加湿ロータ６３を透過する際に水分放出領域６３ｂから水分を放出させ高温高湿空気となってファン７５に向う。
【００７０】
（４−５）ファン７５
ファン７５は、図１に示すように、加湿空気を所定の方向へ送り出す羽根車７５ａと、その羽根車７５ａを駆動するファンモータ７５ｂとを有している。ファン７５は、羽根車７５ａの回転軸が水平方向となる姿勢で配置され、羽根車７５ａの回転軸にファンモータ７５ｂの回転軸が直結されている。また、ファン７５は機械室４２に配置されている。
【００７１】
また、羽根車７５ａはファンケーシング８１に囲まれており、このファンケーシング８１と加湿用第２ダクト１８０の入口とが繋がっている。ファンモータ７５ｂは、外側をモータカバー８２で覆われている。
【００７２】
（４−６）連絡ダクト７７
図７は、外気吸入口４７１、加熱前外気入口７３１、及び両者を連絡する連絡ダクト７７の位置関係を示す概略断面図である。図７において、連絡ダクト７７は、樹脂製の成形部材である。連絡ダクト７７は、ダクト入口７７１と、ダクト出口７７３と、連絡路７７５とを有している。
【００７３】
図７に示すように、右側板４７には、外気を吸入するための開口である外気吸入口４７１が予め設けられている。そして、ダクト入口７７１は、その外気吸入口４７１に対向するように配置されている。
【００７４】
ダクト出口７７３は、加湿用ダクト７３の加熱前外気入口７３１に挿入される。連絡路７７５は、ダクト入口７７１とダクト出口７７３とを結んでいる。
【００７５】
外気吸入口４７１から取り入れられた外気は、連絡ダクト７７を通って加熱前外気入口７３１に到達する。
【００７６】
なお、外気吸入口４７１から吸入した外気を分岐させて、電装品ユニット５０へ送風してもよい。電装品ユニット５０内には高発熱部品を実装した制御基板５１が搭載されているので、その分岐させた外気で高発熱部品を冷却することができるからである。
【００７７】
（４−７）加湿用第２ダクト１８０
加湿用第２ダクト１８０は、ファン７５から押し出される高温高湿空気を給気ホース１８（図１参照）の接続口まで導くダクトである。加湿用第２ダクト１８０のほぼ全体が機械室４２に位置しているが、図３及び図４に示すように、給気ホース１８との接続口を含む所定部分だけは、右側板４７を挟んで機械室４２の反対側に位置する。
【００７８】
図６に示すように、加湿用第２ダクト１８０は、横方向ダクト部１８１と縦方向ダクト部１８２とを有している。横方向ダクト部１８１は高温高湿空気を横方向に導くダクトであり、縦方向ダクト部１８２は横方向ダクト部１８１に流入した高温高湿空気を下方に導くダクトである。横方向ダクト部１８１は、機械室４２から右側板４７の後方端に向って延びている。
【００７９】
図６では、横方向ダクト部１８１と縦方向ダクト部１８２とが９０°程度の角度を成しているが、あくまでも参考であり９０°以上の角度であってもよい。
【００８０】
なお、縦方向ダクト部１８２は、横方向ダクト部１８１との接続口から下方に延び、終端が、給気ホース１８と接続される。
【００８１】
（５）空調機１０の動作
（５−１）冷房運転
冷房運転時、四路切換弁３２は、圧縮機３１の吐出側と室外熱交換器３３のガス側とを接続し、且つ圧縮機３１の吸入側と室内熱交換器２１のガス側とを接続する（図１の実線で示される状態）。
【００８２】
また、液側閉鎖弁３７及びガス側閉鎖弁３８は開状態である。電動膨張弁３４の開度は、室内熱交換器２１の冷媒出口における冷媒の過熱度ＳＨが過熱度目標値で一定になるように調節される。
【００８３】
この冷媒回路の状態で、圧縮機３１、室外ファン３９および室内ファン２２を運転すると、低圧のガス冷媒は、圧縮機３１に吸入されて圧縮されて高圧のガス冷媒となる。その後、高圧のガス冷媒は、四路切換弁３２を経由して室外熱交換器３３に送られて、室外ファン３９によって供給される室外空気と熱交換を行って凝縮して高圧の液冷媒となる。そして、この高圧の液冷媒は、電動膨張弁３４で減圧された後、液側閉鎖弁３７および液冷媒連絡配管１４を経由して、室内ユニット２０に送られる。
【００８４】
この室内ユニット２０に送られた低圧の冷媒は、気液二相状態の冷媒となって室内熱交換器２１に入り、室内熱交換器２１において室内空気と熱交換を行って蒸発して低圧のガス冷媒となる。
【００８５】
この低圧のガス冷媒は、ガス冷媒連絡配管１６を経由して室外ユニット３０に送られ、ガス側閉鎖弁３８及び四路切換弁３２を経由して、アキュムレータ３６に流入する。そして、アキュムレータ３６に流入した低圧のガス冷媒は、再び、圧縮機３１に吸入される。
【００８６】
このように、空調機１０では、室外熱交換器３３を冷媒の凝縮器として、かつ、室内熱交換器２１を冷媒の蒸発器として機能させる冷房運転を行うことができる。
【００８７】
（５−２）暖房運転
暖房運転時、四路切換弁３２は、圧縮機３１の吐出側と室内熱交換器２１のガス側とを接続し、且つ圧縮機３１の吸入側と室外熱交換器３３のガス側とを接続する（図１の破線で示される状態）。
【００８８】
また、電動膨張弁３４の開度は、室外熱交換器３３に流入する冷媒を室外熱交換器３３において蒸発させることが可能な圧力まで減圧するように調節される。液側閉鎖弁３７及びガス側閉鎖弁３８は開状態である。
【００８９】
この冷媒回路の状態で、圧縮機３１、室外ファン３９および室内ファン２２を運転すると、低圧のガス冷媒は、圧縮機３１に吸入されて圧縮されて高圧のガス冷媒となり、四路切換弁３２、ガス側閉鎖弁３８およびガス冷媒連絡配管１６を経由して、室内ユニット２０に送られる。
【００９０】
室内ユニット２０に送られた高圧のガス冷媒は、室内熱交換器２１において、室内空気と熱交換を行って凝縮して高圧の液冷媒となり、液冷媒連絡配管１４を経由して室外ユニット３０に送られる。
【００９１】
液冷媒は、液側閉鎖弁３７を通過して、電動膨張弁３４に入る。液冷媒は、電動膨張弁３４で減圧された後に、室外熱交換器３３に流入する。室外熱交換器３３に流入した低圧の気液二相状態の冷媒は、室外ファン３９によって供給される室外空気と熱交換を行って蒸発して低圧のガス冷媒となり、四路切換弁３２を経由してアキュムレータ３６に流入する。アキュムレータ３６に流入した低圧のガス冷媒は、再び、圧縮機３１に吸入される。
【００９２】
（５−３）加湿運転
空調機１０では、加湿運転は暖房運転と組み合わせて行われる。図１〜図６に示すように、吸着用ダクト６８の外気導入口６８１（図３参照）は前板４６の吸込開口４６ｂ（図２参照）に向かって開口し、空気排出口６８３（図４参照）は室外ファン３９が回転するときに負圧となるベルマウス５２の上流側端部５２３に隣接している。室外ファン３９が稼動すると、空気排出口６８３側の気圧が外気導入口６８１側より低くなり、その作用によって「室外熱交換器３３を通っていない、水分を含んだ外気」が吸込開口４６ｂを経て外気導入口６８１から吸い込まれる。
【００９３】
加湿ロータ６３は、外気導入口６８１と空気排出口６８３との間で且つ空気排出口６８３近傍に位置し、加湿運転時にはロータ駆動用モータ６４（図５参照）の動力によって所定の回転速度で回転している。加湿ロータ６３の回転によって、水分吸着領域６３ａで加湿ロータ６３に吸着された水分は加湿ロータ６３の回転に伴って水分放出領域６３ｂに運ばれ、ヒータ７１に対向する位置に来る。
【００９４】
また、ファン７５（図１参照）も駆動しているので、ヒータ７１に加熱される前の空気は、図７に示すように右側板４７の外気吸入口４７１から取り入れられ、連絡ダクト７７を通り、加熱前外気入口７３１に到達した後、ヒータ７１に向かう。加熱前外気は、ヒータ７１周囲に回り込み、加熱される。
【００９５】
加熱された空気は、加湿ロータ６３の水分放出領域６３ｂを通るので、その加熱された空気に曝された部分から水分が放出される。そして、水分を含んだ空気（以下、加湿空気という。）はファン７５に吸い込まれ、加湿用第２ダクト１８０を介して給気ホース１８へと吹き出される。加湿された空気は、給気ホース１８を経て室内ユニット２０へと導かれる。
【００９６】
室外ユニット３０は、家屋の壁面に近接するように据え付けられる傾向にあるが、一般に、液冷媒連絡配管１４が接続される液側閉鎖弁３７、ガス冷媒連絡配管１６が接続されるガス側閉鎖弁３８、及び／又は電気配線の結線部５５０が位置する側面（本実施形態では右側板４７）は、配管施工、又は電気配線の施工上、必ず作業空間を必要とするので、必然的に隙間が確保される。
【００９７】
それゆえ、右側板４７を壁面に近接させることは実質的に不可能であるため、外気吸入口４７１からの吸入抵抗が増大することはない。したがって、室内へ送る加湿空気の必要量は十分に確保される。
【００９８】
（６）特徴
（６−１）
室外ユニット３０では、ケーシング４０の右側板４７に加湿ユニット６０の外気吸入口４７１が形成されることによって、外気吸入口４７１の吸入抵抗が増大することはなく、室内へ送る加湿空気の必要量が確保される。その結果、加湿空気が室内ユニット２０に到達する経路での結露が抑制され、加湿空気と結露水との間で異音が発生することも回避される。
【００９９】
（６−２）
室外ユニット３０では、据付時、家屋の壁面とケーシング４０との隙間はサービスパーソンの判断に委ねられるが、液側閉鎖弁３７、ガス側閉鎖弁３８、及び／又は電気配線の結線部５５０が位置する右側板４７側は、配管施工、又は電気配線の施工上、必ず作業空間を必要とするので、必然的に隙間が確保される。それゆえ、外気吸入口４７１からの吸入抵抗が増大することはなく、室内へ送る加湿空気の必要量が確保される。
【０１００】
（６−３）
室外ユニット３０では、外気吸入口４７１が、開口５７１を有する閉鎖弁カバー５７で覆われることによって、外気吸入を阻害することなく、雨水、小動物の侵入を防止することができる。
【０１０１】
（６−４）
室外ユニット３０では、取っ手５７ａの窪み部分に開口５７１が設けられることにより、開口５７１に直に雨水が浸入することが抑制され、外気吸入口４７１への雨水浸入が防止される。
【０１０２】
（６−５）
室外ユニット３０では、加湿ユニット６０に加えて電装品ユニット５０も外気を必要とするので、開口５７１から取り込まれる外気を両方へ分岐させることにより、別に風路を設ける手間が省ける。
【産業上の利用可能性】
【０１０３】
以上のように、本願発明によれば、加湿ユニットを備えた空調機の室外ユニットに限らず、仕切部材によって空間を２分割されたケーシング内にそれら２つの空間を跨ぐように他のユニットが配置される機器にも有用である。
【符号の説明】
【０１０４】
１０      空調機
２０      室内ユニット
３０      室外ユニット
３７      液側閉鎖弁（配管接合部）
３８      ガス側閉鎖弁（配管接合部）
４０      ケーシング（本体ケーシング）
４４      背面部（背面）
４４ａ    吸込口
４６      前板（前面）
４６ａ    吹出口
４７      右側板（側面）
４７１    外気吸入口
５０      電装品ボックス
５７      閉鎖弁カバー（カバー）
５７ａ    取っ手
５７１    開口
６０      加湿ユニット（加湿部）
５５０    結線部
【先行技術文献】
【特許文献】
【０１０５】
【特許文献１】特開２００８−１９０８２８号公報